(57)【特許請求の範囲】
【請求項１】
既存建物に増築部を設けてなる建物の構造において、
前記既存建物の外壁に、前記増築部の屋根が接合されており、
前記外壁と前記屋根との接合部の下方であって、かつ前記外壁の下端部の直下に、上向きに開口する排水樋が設けられており、
前記排水樋は、前記屋根側と前記既存建物側とに平行離間して配置された側壁を備えており、
前記外壁の下端部は、前記屋根側の側壁よりも前記既存建物側に位置し、かつ前記既存建物側の側壁よりも前記屋根側に位置するように配置されていることを特徴とする建物の構造。
【請求項２】
請求項１に記載の建物の構造において、
前記排水樋が前記接合部の小屋裏に設けられていることを特徴とする建物の構造。
【請求項３】
請求項１または２に記載の建物の構造において、
前記屋根側の前記側壁の上端部は、前記外壁の表面側であって、かつ前記外壁の下端部よりも上方に位置していることを特徴とする建物の構造。
【請求項４】
請求項１〜３のいずれか一項に記載の建物の構造において、
前記外壁の下端部裏面に防水シートが取り付けられており、この防水シートの下端部が前記排水樋に挿入されていることを特徴とする建物の構造。
【請求項５】
請求項１〜４のいずれか一項に記載の建物の構造において、
前記排水樋に隣接して予備樋が前記排水樋と平行に設けられており、この予備樋は前記外壁の内側に配置されていることを特徴とする建物の構造。
【請求項６】
請求項１〜５のいずれか一項に記載の建物の構造において、
前記排水樋の両側壁のうち外側の側壁が前記屋根まで延出され、この延出された延出部が前記屋根の屋根下地材に一体に連結されていることを特徴とする建物の構造。
【請求項７】
請求項１〜６のいずれか一項に記載の建物の構造において、
前記排水樋の底壁は当該排水樋の長手方向中央部から端部に向けて下方に傾斜していることを特徴とする建物の構造。
【請求項８】
請求項７に記載の建物の構造において、
前記排水樋の流路断面積が当該排水樋の長手方向中央部から端部に向かうにしたがって大きくなっていることを特徴とする建物の構造。
【発明の詳細な説明】
【技術分野】
【０００１】
本発明は、既存建物に増築部を設けてなる建物の構造に関する。
【背景技術】
【０００２】
既存建物に増築部を設けてなる建物の構造の一例として特許文献１に記載のものが知られている。この建物の構造は、既設の家屋本体部、この家屋本体部の外壁と間隔を隔てる屋根を有して建て増しされる増築部、及び前記家屋本体部の外壁と増築部の屋根との間の前記間隔を雨仕舞いして閉じる連結金物からなるとともに、該連結金物は、家屋本体部の外壁と増築部の屋根との間の位置変動を吸収するずれ吸収部を具えることを特徴とするものである。
このような建物の構造では、家屋本体部と増築部とが間隔を隔てているため、家屋本体部の外壁と増築部の屋根との間の間隔を雨仕舞いして閉じる連結金物に位置変動を吸収するずれ吸収部を具えるようにしている。
しかし、家屋本体部に増築部を連結した建物の構造では、前記のような吸収部は不要であるので、既存建物の外壁に増築部の屋根を接合するようにしている。
【先行技術文献】
【特許文献】
【０００３】
【特許文献１】特開２００３−９６９９８号公報
【発明の概要】
【発明が解決しようとする課題】
【０００４】
ところで、例えば外壁ＡＬＣ工法の場合、一般工法（サイディング通気工法）と異なり既存外壁材を容易に交換できない。このため、既存建物の外壁と増築部の屋根との取り合い部（接合部）に防水のためのシーリング処理（一次防水）が行われるが、このシーリング材が例えば経年変化等によって劣化した場合、雨水が浸入するおそれがある。
また、外壁を構成する外壁材どうしの目地部に防水用のガスケットが挿入されており、このガスケットが劣化した場合などに目地部から浸入した雨水に対する防水処理を行う必要がある。
【０００５】
本発明は上記事情に鑑みてなされたもので、既存建物に増築部を設けた場合に、既存建物の外壁と増築部の屋根の接合部における一次防水から浸入した雨水や既存建物の外壁材の目地部から浸入した雨水に対する排水処理を行える建物の構造を提供することを課題としている。
【課題を解決するための手段】
【０００６】
上記課題を解決するために、請求項１に記載の発明は、例えば図１〜図４に示すように、既存建物１に増築部２を設けてなる建物の構造において、
前記既存建物１の外壁４に、前記増築部２の屋根３が接合されており、
前記外壁４と前記屋根３との接合部の下方であって、かつ前記外壁４の下端部の直下に、上向きに開口する排水樋５が設けられており、
前記排水樋５は、前記屋根３側と前記既存建物１側とに平行離間して配置された側壁５ａ，５ｂを備えており、
前記外壁４の下端部は、前記屋根３側の側壁５ａよりも前記既存建物１側に位置し、かつ前記既存建物１側の側壁５ｂよりも前記屋根３側に位置するように配置されていることを特徴とする。
【０００７】
請求項１に記載の発明によれば、既存建物１の外壁４と増築部２の屋根３との接合部の下方に排水樋５が設けられているので、前記接合部における一次防水から浸入した雨水や既存建物１の外壁４の目地部から浸入した雨水を、前記排水樋５に流入させて、この排水樋５から排水することができる。
また、排水樋５が外壁４の下端部の下方に設けられているので、外壁４を伝わって流れ落ちる雨水を確実に排水樋５によって受けて排出することができる。
【０００８】
請求項２に記載の発明は、請求項１に記載の建物の構造において、
前記排水樋５が前記接合部の小屋裏Ｓに設けられていることを特徴とする。
【０００９】
請求項２に記載の発明によれば、排水樋５が前記接合部の小屋裏Ｓに設けられているので、排水樋５を設けるスペースを容易に確保できる。
【００１０】
請求項３に記載の発明は、請求項１または２に記載の建物の構造において、
前記屋根３側の前記側壁５ａの上端部は、前記外壁４の表面側であって、かつ前記外壁４の下端部よりも上方に位置していることを特徴とする。
【００１２】
請求項４に記載の発明は、請求項１〜３のいずれか一項に記載の建物の構造において、
前記外壁４の下端部裏面に防水シート１６が取り付けられており、この防水シート１６の下端部が前記排水樋５に挿入されていることを特徴とする。
【００１３】
請求項４に記載の発明によれば、外壁４の下端部裏面に取り付けられている防水シート１６の下端部が前記排水樋５に挿入されているので、外壁４の表面や目地部を伝わって流れ落ちる雨水を確実に排水樋５に導くことができるとともに、外壁４から流れ落ちる雨水や排水樋５に流入した雨水が外壁４の裏側に流出するのを防止できる。
【００１４】
請求項５に記載の発明は、請求項１〜４のいずれか一項に記載の建物の構造において、
前記排水樋５に隣接して予備樋１７が前記排水樋５と平行に設けられており、この予備樋１７は前記外壁４の内側に配置されていることを特徴とする。
【００１５】
請求項５に記載の発明によれば、排水樋５に流入した雨水が排水樋５からオーバーフローした際に、この雨水が予備樋１７に流入するので、外壁４の内側への雨水の流出を防止できる。
【００１６】
請求項６に記載の発明は、例えば図６に示すように、請求項１〜５のいずれか一項に記載の建物の構造において、
前記排水樋５の両側壁５ａ,５ｂのうち外側の側壁５ａが前記屋根３まで延出され、この延出された延出部５ｅが前記屋根３の屋根下地材６に一体に連結されていることを特徴とする。
【００１７】
請求項６に記載の発明によれば、排水樋５の外側の側壁５ａの延出部５ｅが屋根下地材６に一体に連結されているので、屋根下地材６の施工と同時に排水樋５の施工を行うことができるとともに、排水樋５の位置決め固定を容易に行うことができる。
【００１８】
請求項７に記載の発明は、請求項１〜６のいずれか一項に記載の建物の構造において、
前記排水樋５の底壁５ｃは当該排水樋５の長手方向中央部から端部に向けて下方に傾斜していることを特徴とする。
【００１９】
請求項７に記載の発明によれば、排水樋５の底壁５ｃが当該排水樋５の長手方向中央部から端部に向けて下方に傾斜しているので、排水樋５に流入した雨水は排水樋５の中央部から分かれて、排水樋５の両端部に向けてそれぞれ流れる。したがって、排水樋５の両端部からそれぞれ雨水を外部に確実に排水できる。
【００２０】
請求項８に記載の発明は、請求項７に記載の建物の構造において、
前記排水樋５の流路断面積が当該排水樋５の長手方向中央部から端部に向かうにしたがって大きくなっていることを特徴とする。
【００２１】
請求項８に記載の発明によれば、排水樋５の流路断面積が当該排水樋５の長手方向中央部から端部に向かうにしたがって大きくなっているので、排水樋５の長手方向中央部から端部に向かうにしたがって流量が多くなる雨水を確実に排水できる。
【発明の効果】
【００２２】
本発明によれば、既存建物の外壁に増築部の屋根が接合されており、前記外壁と前記屋根との接合部の下方に排水樋が設けられているので、前記接合部における一次防水から浸入した雨水や既存建物の外壁材の目地部から浸入した雨水を、前記排水樋に流入させて、この排水樋から排水することができる。
【図面の簡単な説明】
【００２３】
【図１】本発明に係る建物の構造を備えた建物の概略を示す断面図である。
【図２】本発明に係る建物の構造を備えた建物の概略を示す斜視図である。
【図３】本発明に係る建物の構造の要部を示すもので、図２におけるＡ−Ａ´断面図である。
【図４】同、図２におけるＢ−Ｂ´断面図である。
【図５】同、予備樋の変形例を排水樋とともに示す断面図である。
【図６】同、排水樋と屋根下地材とを一体化した例を示す断面図である。
【発明を実施するための形態】
【００２４】
以下、図面を参照して本発明に係る建物の構造の実施の形態について説明する。
図１は本発明に係る建物の構造を備えた建物の概略を示す断面図、図２は同斜視図である。
建物は既存建物１と増築部２とを備えている。既存建物１は、周知のユニット工法によって構築されたユニット式建物である。ユニット式建物は、直方体状に形成された複数の建物ユニットを現場で組み立てることによって構築されるものである。
増築部２は既存建物１に連結して増築されたものであり、複数の建物ユニットによって構成されている。増築部２の屋根３は下屋であり、その基端部は既存建物１の外壁４に接合されている。外壁４は窯業系の軽量気泡コンクリート等によって形成されたものである。なお、図２においては、既存建物の屋根は省略してある。
【００２５】
図３に示すように、前記外壁４と屋根３との接合部の下方に排水樋５が設けられているが、この排水樋５の説明の前に外壁４と屋根３との接合部の構造について説明する。
すなわち、屋根３は合板等によって形成された屋根下地材６と、この屋根下地材６上に敷設されたルーフィング７と、このルーフィング７上に敷設された屋根材８とを有している。ルーフィング７の基端部は屋根下地材６と屋根材８との間から延出して外壁４に沿って若干立ち上がっている。
屋根材８の基端部には、桟木９が設置されており、この桟木９上に板金１０が被せられている。桟木９および板金１０はそれぞれ屋根３の棟方向に沿って延在する長尺部材である。
【００２６】
板金１０の一端部には、屋根材８の上面に当接固定される第１固定部１０ａが形成れており、板金１０の他端部には外壁４の表面に当接固定される第２固定部１０ｂが形成されている。また、第２固定部１０ｂと外壁４の表面とに亙ってシーリング材１１が設けられており、このシーリング材１１によって、第２固定部１０ｂと外壁４の表面との間の隙間が覆われている。
板金１０の上方には、水切部材１２が設けられている。この水切部材１２は屋根３の棟方向に沿って延在する長尺部材であり、その下端は板金１０の上面に当接するか若干の隙間をもって配置されている。水切部材１２の上端部は板金１０より上方位置で外壁４の表面に当接固定されており、水切部材１２の上端部と外壁４の表面とに亙ってシーリング材１３が設けられており、このシーリング材１３によって、水切部材１２の上端部と外壁４の表面との間の隙間が覆われている。
【００２７】
前記排水樋５は、平行離間して配置された左右の側壁５ａ,５ｂと、当該側壁５ａ,５ｂの下端どうしを接続する底壁５ｃとからなる上向きの略コ字形に形成されており、外壁４と屋根３との接合部の小屋裏Ｓに設けられている。
既設建物１の増築部２を増築する面にある外壁４は、屋根３の下側でかつ増築部２の本体上面より上側の位置で切断されており、この外壁４の下端部は固定部材１４によって既存建物１のフレーム１ａに固定されている。そして、この外壁４の下端部の下方に、前記排水樋５がその底壁５ｃを増築部２の本体上面に設置して設けられている。
排水樋５の左側壁５ａの上端部は外壁４の下端より上方に位置しており、当該左側壁５ａの上端部と屋根下地材６の基端部とは接続板１５によって接続されている。この接続板１５は屋根３の棟方向に沿って延在する長尺部材であり、その上端部は屋根下地材６の基端面に固定され、下端部は排水樋５の左側壁５ａに内面に固定されている。また、接続板１５と外壁４の表面との間には隙間が設けられており、外壁４の表面を伝わって流れ落ちてきた雨水がこの隙間を通って排水樋５に流入するようになっている。
【００２８】
前記外壁４の下端部裏面には防水シート１６がその下端部を下方に延出させて取り付けられている。この防水シート１６は屋根３の棟方向に沿って延在する長尺部材であり、その下端部は排水樋５に挿入されたうえで、右側壁５ｂの内面に沿っている。なお、排水樋５の右側壁５ｂは左側壁５ａより低くなっており、右側壁５ｂの上端は前記外壁４の下端より低くなっている。
また、排水樋５に隣接して予備樋１７が排水樋５と平行に設けられており、この予備樋１７は外壁４の内側に配置されている。予備樋１７の左側壁１７ａは排水樋５の右側壁５ｂと兼用になっており、これによって、排水樋５と予備樋１７は一体的に構成されている。また、予備樋１７の右側壁１７ｂの高さは左側壁１７ａと等しくなっており、底壁１７ｃは左側壁１７ａ側に向けて下方に傾斜している。
【００２９】
前記排水樋５は、図４に示すように、既設建物１の増築部２を増築する面の幅方向全体に亙って延在しており、当該排水樋５の底壁５ｃは、排水樋５の長手方向中央部から端部に向けて下方に傾斜している。排水樋５の両端部は開口しており、この開口端部５ｄ,５ｄには、外部フード１８,１８が被せられている。
外部フード１８の上面板１８ａと屋根３より上側の外壁４ａとの間にはシーリング材１９ａが設けられており、下面板１８ｂと屋根３より下側の外壁４ｂとの間にはシーリング材１９ｂが設けられている。
また、外部フード１８の前面板１８ｃと排水樋５の端部との間には所定の間隔が設けられており、排水樋５を流れた雨水（破線で示す）はこの間隔に排出され、下方に落下するようになっている。
また、排水樋５の流路断面積は当該排水樋５の長手方向中央部から端部に向かうにしたがって大きくなっている。つまり、排水樋５の底壁５ｃが、排水樋５の長手方向中央部から端部に向けて下方に傾斜しており、左右の側壁５ａ,５ｂの高さが一定であることによって流路断面積が排水樋５の長手方向中央部から端部に向かうにしたがって大きくなっている。
【００３０】
本実施の形態によれば、既存建物１の外壁４と増築部２の屋根３との接合部の下方に排水樋５が設けられているので、前記接合部における一次防水（シーリング材１１,１３）から浸入した雨水や既存建物１の外壁４の目地部から浸入した雨水を、排水樋５に流入させて、この排水樋５から排水することができる。
また、排水樋５が前記接合部の小屋裏Ｓに設けられているので、排水樋５を設けるスペースを容易に確保できる。
さらに、排水樋５が外壁４の下端部の下方に設けられているので、外壁４を伝わって流れ落ちる雨水を確実に排水樋５によって受けることができる。
【００３１】
また、外壁４の下端部裏面に取り付けられている防水シート１６の下端部が排水樋５に挿入されているので、外壁４の表面や目地部を伝わって流れ落ちる雨水を確実に排水樋５に導くことができるとともに、外壁４から流れ落ちる雨水や排水樋５に流入した雨水が外壁４の裏側に流出するのを防止できる。
また、排水樋５に流入した雨水が排水樋５からオーバーフローした際も、この雨水が予備樋１７に流入するので、外壁４の内側への雨水の流出を防止できる。
さらに、排水樋５の底壁５ｃが排水樋５の長手方向中央部から端部に向けて下方に傾斜しているので、排水樋５に流入した雨水は排水樋５の中央部から分かれて、排水樋５の両端部に向けてそれぞれ流れる。したがって、排水樋５の両端部からそれぞれ雨水を外部に確実に排水できる。
また、排水樋５の流路断面積が排水樋５の長手方向中央部から端部に向かうにしたがって大きくなっているので、排水樋５の長手方向中央部から端部に向かうにしたがって流量が多くなる雨水を確実に排水できる。
【００３２】
図５は、予備樋１７の変形例を排水樋５とともに示す断面図である。この図に示す予備樋１７は、右側壁１７ｄが図３に示す右側壁１７ｂより高くなっており、その高さは排水樋５の左側壁５ａと等しくなっている。
また、外壁４の下端部裏面から下方に延出する防水シート１６の下端部には、両面接着タイプの防水テープ２１が貼り付けられており、この防水テープ２１は排水樋５の右側壁５ｂの内面に貼り付けられている。
そして、排水樋５からオーバーフローする雨水は防水テープ２１の毛細管現象によって吸込まれ、予備樋１７に流入するようになっている。
このような予備樋１７では、右側壁１７ｄが排水樋５の左側壁５ａと等しい高さになっているので、排水樋５から雨水が予備樋１７にオーバーフローしても、外壁４の内側への雨水の流出をより確実に防止できる。
【００３３】
図６は、排水樋５と屋根下地材６とを一体化した例を示す断面図である。
排水樋５の左側壁５ａは屋根３まで延出され、この延出した延出部５ｅが屋根下地材６に一体に連結されている。延出部５ｅの先端部は屋根下地材６の基端面に当接されたうえで、当該基端面の上端で曲げられて屋根下地材６の上面に沿って配置され、この上面に固定されている。
また、予備樋１７の右側壁１７ｅは、図５に示す右側壁１７ｄより高くなっている。また、右側壁１７ｅは屋根下地材６の上面より高く、さらに、図示しない屋根材の上面、つまり屋根３の上面より高くなっている。
本例では、排水樋５の外側の左側壁５ａの延出部５ｅが屋根下地材６に一体に連結されているので、屋根下地材６の施工と同時に排水樋５の施工を行うことができるとともに、排水樋５の位置決め固定を容易に行うことができる。
また、予備樋１７の右側壁１７ｅが屋根３の上面より高くなっているので、排水樋５から雨水が予備樋１７にオーバーフローしても、屋根３が水に埋没するような非常時を除いて、屋根３の上面より高くなることはない。したがって、外壁４の内側への雨水の流出をさらに確実に防止できる。
【符号の説明】
【００３４】
１  既存建物
２  増築部
３  屋根
４  外壁
５  排水樋
５ａ,５ｂ  側壁
５ｃ  底壁
５ｅ  延出部
６  屋根下地材
１６  防水シート
１７  予備樋
Ｓ  小屋裏
【図１】
0005722666.tif 000002
【図２】
0005722666.tif 000003
【図３】
0005722666.tif 000004
【図４】
0005722666.tif 000005
【図５】
0005722666.tif 000006
【図６】
0005722666.tif 000007